(57)【要約】【課題】ブリスターの形成が容易で、且つ組み立てやすく、低コストで製造可能なブリスター容器を提供すること。【解決手段】本発明のブリスター容器１は、基面部２１から凹み製品が収容される凹部２２を有するブリスター２と、凹部２２を塞ぐようにブリスター２にスライド嵌合される台紙３とを備えている。ブリスター２の両側部に、台紙３がスライド嵌合されるスライド溝２３、２４が断続的に設けられているとともに、台紙３の側縁部に、台紙３を溝２３、２４にスライド嵌合させたときにスライド溝２３、２４の不連続部分に係合される係合部３１が突設されている。スライド溝２３、２４は、ブリスター２の両側部に所定間隔おきに基面部２１に連設された複数の片部２３１、２４１が折り返されて設けられている。【選択図】図１
2009184688.tif 000002
【特許請求の範囲】
【請求項１】
基面部から凹み製品が収容される凹部を有するブリスターと、前記凹部を塞ぐように前記ブリスターにスライド嵌合される台紙とを備えているブリスター容器であって、
前記ブリスターの両側部に、前記台紙がスライド嵌合されるスライド溝が断続的に設けられているとともに、前記台紙の側縁部に、該台紙を前記スライド溝にスライド嵌合させたときに前記スライド溝の溝不連続部に係合される係合部が突設されており、
前記スライド溝は、前記ブリスターの両側部に所定間隔おきに前記基面部に連設された複数の片部が折り返されて設けられ、
前記溝不連続部は、同じ側部における前記片部どうしの間の領域によって形成されているブリスター容器。
【請求項２】
前記スライド溝は、前記台紙のスライド嵌合を始める側が短く設けられている請求項１に記載のブリスター容器。
【請求項３】
前記溝を形成する前記片部は、少なくとも前記台紙のスライド嵌合を始める側の片部が、折り返し基部よりも先端の幅が狭い形状を有している請求項１又は２に記載のブリスター容器。
【請求項４】
前記ブリスターの底部に、前記基面部から連設されて折り返され、前記台紙の下端部に当接して該台紙を係止する係止片部が設けられている請求項１又は２に記載のブリスター容器。
【発明の詳細な説明】
【技術分野】
【０００１】
本発明は、基面部から凹み製品が収容される凹部を有するブリスターと、前記凹部を塞ぐように前記ブリスターにスライド嵌合される台紙とを備えているブリスター容器に関する。
【背景技術】
【０００２】
基面部から凹み製品が収容される凹部を有するブリスターと、前記凹部を塞ぐように前記ブリスターにスライド嵌合される台紙とを備えているブリスター容器は、簡易な構造であり、陳列もし易く、使用後に排気するときの分別も容易に行えるため、広く普及しており、種々の形態の容器が提案されている（例えば、特許文献１、２参照）。
【０００３】
ところで、特許文献１に記載のブリスター容器は、ブリスターの側縁部を折り返してスライド嵌合用の溝を設け、折り返した片部の上下端部で台紙の上下端部に設けた係止部を係止させるか、折り返した片部を切り欠いて係合用の孔を設け、該孔に対応した係合部を台紙に設けて係合させていた。前者の場合には、台紙の上下端部に係止部が設けられているため、台紙をスライド嵌合させにくい問題があった。後者の場合には、片部の切り欠き工程が必要となり、工程が増えるほか、材料にも無駄が生じる問題があった。特許文献２に記載のブリスター容器は、ブリスターの側縁部を折り返してスライド嵌合用の溝を設け、折り返した片部の一部に孔部を設けたものである点で特許文献１のブリスター容器と同様である。特許文献２に記載のブリスター容器は、ブリスターに設けられた孔部が複雑な形状を有しており、金型を用いて一工程で成形することは困難である。このため、成形工程とは別に孔部の形成工程が必要となる。また、この孔部の形成工程には、孔部の形成に伴って生じる不要部分の除去工程が付随して必要となるため、その分ブリスターの製造工程が増えざるを得ないし、この不要部分の除去も容易ではない。さらに、ブリスターに設けた孔部の形状が複雑なため、折り返した片部の先端の強度を確保しにくい。
【０００４】
【特許文献１】実開平７−９１６８号公報
【特許文献２】特開２００３−２２１０６６号公報
【発明の開示】
【発明が解決しようとする課題】
【０００５】
本発明は、上記課題に鑑みてなされたものであり、ブリスターの形成が容易で、且つ組み立てやすく、低コストで製造可能なブリスター容器を提供することを目的とする。
【課題を解決するための手段】
【０００６】
本発明は、基面部から凹み製品が収容される凹部を有するブリスターと、前記凹部を塞ぐように前記ブリスターにスライド嵌合される台紙とを備えているブリスター容器であって、前記ブリスターの両側部に、前記台紙がスライド嵌合されるスライド溝が断続的に設けられているとともに、前記台紙の側縁部に、該台紙を前記スライド溝にスライド嵌合させたときに前記スライド溝の溝不連続部に係合される係合部が突設されており、前記スライド溝は、前記ブリスターの両側部に所定間隔おきに前記基面部に連設された複数の片部が折り返されて設けられ、前記溝不連続部は、同じ側部における前記片部どうしの間の領域によって形成されているブリスター容器。を提供することにより、前記目的を達成したものである。
【発明の効果】
【０００７】
本発明のブリスター容器は、断続的に設けられたスライド嵌合用のスライド溝の間において台紙を係合するので、組み立てやすく、また、溝を形成する片部を一体成形によって形成できるので、工程も少なくて済み、材料の無駄を生じずに低コストで製造可能である。
【発明を実施するための最良の形態】
【０００８】
以下本発明を、その好ましい実施形態に基づき図面を参照しながら説明する。
図１は、本発明のブリスター容器の一実施形態を示すものである。これらの図において、符号１はブリスター容器を示している。
【０００９】
図１に示したように、本実施形態のブリスター容器１は、基面部２１から凹み製品が収容される凹部２２を有するブリスター２と、凹部２２を塞ぐようにブリスター２にスライド嵌合される台紙３とを備えている。
【００１０】
ブリスター２の両側部には、台紙３がスライド嵌合されるスライド溝２３、２４が断続的に設けられている。スライド溝２３、２４は、ブリスター２の両側部に所定間隔おきに基面部２１に連設された複数の片部２３１、２４１が折り返されて設けられている。スライド溝２３、２４の間隔は、台紙３の紙厚を考慮して設定される。
【００１１】
スライド溝２３、２４を形成する片部２３１、２４１の形態に特に制限はないが、本実施形態では、組み立て工程をスムーズにし、片部２３１、２４１の折り易さを考慮し、片部２３１、２４１は、折り返し基部２０よりも先端の幅が狭い形状、好ましくは基部から先端に向けて徐々に幅が狭くなる台形形状を有している。片部２３１、２４１の縁部の折り返し基部２０との間の角度である片部２３１、２４１の折返し基部２０からの立ち上がりの角度αは、ブリスター２を金型で成形するときの抜き易さを考慮すると、４５〜９０°が好ましく、６０〜８５°がより好ましい。
【００１２】
片部２３１、２４１は、基部よりも先端の幅が狭い形状であれば上記形状に限られず、例えば、図３に示すように、基面部２１の片部２３１及び２４１の間における側縁から略直角に立ち上がる直交部２１１を設け、直交部２１１に連続して先端に向けて幅が狭くなる多角形状とすることもできる。基面部２１の側縁から略直角に立ち上がる直交部２１１を設けることによって、直交部２１１が台紙３の厚みによる片部２３１、２４１の折り曲げ領域（スライド溝２３、２４の底部近傍）を形成することができるので、後述する台紙３の係合部３１のスライド方向における係合位置の精度を向上させることができる。
片部２３１、２４１の角部はアールをとる（角をとって丸みをもたせる）ことが好ましい。
【００１３】
ブリスター２の底部には、基面部２１から連設されて折り返され、台紙３の下端部に当接して台紙３を係止する係止片部２５が設けられている。また、ブリスター２の上方部には、ハンガーに掛ける孔２６が設けられている。
【００１４】
本実施形態では、台紙３のスライド嵌合を始める側のスライド溝２３がスライド溝２４よりも短く設けられている。このようにすることで、台紙３をブリスター２にスライド嵌合させるときの台紙３のたわみなどが抑えられるので、ブリスター２に嵌合し易くなる。
【００１５】
ブリスター２の材質に特に制限はなく、従来から使用されている材質のものを採用することができる。好ましい材質としては、透明又は半透明の合成樹脂が挙げられる。ブリスター２は、図２に示すように、片部２３１、２４１、２５を折り返す前の状態で成形し、成形後に各片部を折り返し基部から折り返すことによって製造される。
【００１６】
台紙３の側縁部には、台紙３をスライド溝２３、２４にスライド嵌合させたときにスライド溝２３、２４どうしの間の領域によって形成されている不連続部に係合される係合部３１が突設されている。
【００１７】
台紙３の上方部には、ブリスター２の孔２６に対応してハンガーに掛ける孔３２が設けられている。
【００１８】
ブリスター容器１は、従来のこの種の容器と同様に、凹部２２に製品を収容した後、台紙３をスライド溝２３、２４にスライド嵌合させ、スライド溝２３、２４どうしの間の領域によって形成された溝不連続部に台紙３の係合部３１を係合させるとともに、係止片部２５で台紙３の下端部を係止させ、必要に応じ、さらに熱収縮フィルム等の包装シートで包装した状態で提供される。
【００１９】
上述のように、本実施形態のブリスター容器１は、断続的に設けられたスライド嵌合用のスライド溝２３、２４どうしの間の領域によって形成された不連続部に台紙３を係合部３１で係合するので、組み立てやすく、また、スライド溝２３、２４を形成する片部２３１、２４１を一体成形によって形成できるので、工程も少なくて済み、材料の無駄を生じずに低コストで製造可能である。台紙３のスライド嵌合を始める側のスライド溝２３がスライド溝２４よりも短く設けられているので、台紙３をブリスター２にスライド嵌合させるときの台紙のたわみを抑えて嵌合し易くより組み立て易い容器である。
【００２０】
本発明は、前記実施形態に制限されない。
前記実施形態では、片部２３１、２４１によって、上下に二つのスライド溝を断続的に形成したが、収容する製品の長さに応じて、基面部に連設する片部の数を増やし、三つ以上のスライド溝を断続的に形成することもできる。
【００２１】
前記実施形態では、ブリスターの底部に、台紙の下端部を係止させる係止片部を二箇所設けたが、係止片部は、一箇所としても良いし、必要に応じて省略することもできる。ブリスターの底部の係止片部を省略した場合には、例えば図４に示す実施形態のブリスター容器１’のように、台紙３の係合部３１の上方にブリスター２の上側の片部２３１の上端に係止するように第２の係合部３３を設けることが好ましい。この構成によれば、係合部３１によってブリスター２に対する台紙３の上方向への移動を規制し、第２の係合部３３によってブリスター２に対する台紙３の下方向への移動を規制することができる。
【図面の簡単な説明】
【００２２】
【図１】本発明のブリスター容器の一実施形態を示す図であり、（ａ）は正面図、（ｂ）は側面図、（ｃ）は底面図である。
【図２】片部を折り返す前のブリスターの形態を示す正面図である。
【図３】ブリスターに設ける片部の他の形態を示す要部の正面図である。
【図４】本発明のブリスター容器の他の実施形態を示す正面図である。
【符号の説明】
【００２３】
１、１’  ブリスター容器
２  ブリスター
２１  基面部
２２  凹部
２３、２４  スライド溝
２３１、２４１  片部
２５  係止片部
３  台紙
３１  係合部
【図１】
2009184688.tif 000003
【図２】
2009184688.tif 000004
【図３】
2009184688.tif 000005
【図４】
2009184688.tif 000006